(57)【特許請求の範囲】
【請求項１】
柱材の上部、下部にそれぞれ主金具、副金具を装着してなり、前記主金具、副金具は、それぞれ柱材のスリットに挿入する左右の前向きの係合部と、横向きに突設し、パネル材のスリットに挿入してパネル材を係止させる上向きの係止フックとを有し、前記主金具の係止フックの下側には、上向きに相対移動するパネル材の上昇を制限して外れを阻止するための下向きに尖る補助フックを付設し、前記主金具の係止フックは、上辺を斜め内向きに形成するとともに、前記補助フックの下端から上辺までの上下方向の長さＨ1a、パネル材のスリットの長さＨ、前記補助フックを含む上下方向の最大長さＨ1 に対し、Ｈ1a＜Ｈ＜Ｈ1 に設定することを特徴とする間仕切りパネルの取付装置。
【請求項２】
前記副金具の係止フックは、上下方向の最大長さＨ2 をＨ2 ＜Ｈに設定することを特徴とする請求項１記載の間仕切りパネルの取付装置。
【請求項３】
前記主金具、副金具は、それぞれ左右の前記係止フックを有することを特徴とする請求項１または請求項２記載の間仕切りパネルの取付装置。
【請求項４】
最上部の１個の前記主金具と、１個以上の前記副金具とを組み合わせることを特徴とする請求項１ないし請求項３のいずれか記載の間仕切りパネルの取付装置。
【発明の詳細な説明】
【技術分野】
【０００１】
この発明は、間仕切りシステムにおいて、柱材に対してパネル材を取り付ける際に使用する間仕切りパネルの取付装置に関する。
【背景技術】
【０００２】
間仕切りシステムを構築する際に、パネル材を柱材に取り付けるためのフック金具が提案されている（特許文献１）。
【０００３】
フック金具は、板材を折曲形成することにより、パネル材を係止するための左右の上向きの係止フックと、上部前方に突出する左右の羽根板状の係合部と、下部に突設する左右の係合突部とを設け、ねじを用いることなく、上の係合部、下の係合突部を介して柱材の側面に簡単に位置決めして装着することができる。また、柱材の前後の表面に突出する係止フックをパネル材のスリットに挿入して係止させると、パネル材を柱材の表面に安定に取り付けることができる。
【先行技術文献】
【特許文献】
【０００４】
【特許文献１】特開平１１−１５２８２２号公報
【発明の概要】
【発明が解決しようとする課題】
【０００５】
かかる従来技術によるときは、パネル材は、フック金具の上向きの係止フックに掛けるようにして支持されているから、大地震などにより過大な縦振動が加わると、係止フックから外れる可能性があるという問題があった。ただし、係止フックは、通常の振動でパネル材が外れることがないように、パネル材のスリット部分を柱材の表面との間に弾発的に挟み込むように形状寸法が設定されている。
【０００６】
そこで、この発明の目的は、かかる従来技術の問題に鑑み、補助フック付きの主金具と、副金具とを組み合わせることによって、縦振動によるパネル材の外れを有効に阻止して安全性を向上させることができる間仕切りパネルの取付装置を提供することにある。
【課題を解決するための手段】
【０００７】
かかる目的を達成するためのこの発明の構成は、柱材の上部、下部にそれぞれ主金具、副金具を装着してなり、主金具、副金具は、それぞれ柱材のスリットに挿入する左右の前向きの係合部と、横向きに突設し、パネル材のスリットに挿入してパネル材を係止させる上向きの係止フックとを有し、主金具の係止フックの下側には、上向きに相対移動するパネル材の上昇を制限して外れを阻止するための下向きに尖る補助フックを付設し、主金具の係止フックは、上辺を斜め内向きに形成するとともに、補助フックの下端から上辺までの上下方向の長さＨ1a、パネル材のスリットの長さＨ、補助フックを含む上下方向の最大長さＨ1 に対し、Ｈ1a＜Ｈ＜Ｈ1 に設定することをその要旨とする。
【０００８】
なお、副金具の係止フックは、上下方向の最大長さＨ2 をＨ2 ＜Ｈに設定することができ、主金具、副金具は、それぞれ左右の係止フックを有することができる。
【０００９】
また、最上部の１個の主金具と、１個以上の副金具とを組み合わせてもよい。
【発明の効果】
【００１０】
かかる発明の構成によるときは、柱材に装着する主金具、副金具は、それぞれ上向きの係止フックを介してパネル材を係止することにより、パネル材を柱材の表面に取り付けることができる。一方、大地震などによる過大な縦振動を受けると、パネル材は、上向きに相対移動して上昇することがあるが、その場合であっても、主金具の係止フックに付設する下向きの補助フックは、パネル材の上昇を制限するとともにパネル材の外れを阻止し、パネル材が柱材から外れてしまうおそれがない。なお、主金具、副金具の係止フックは、それぞれパネル材に形成する上下方向のスリットに挿入してパネル材を支持するものとし、主金具の補助フックは、係止フックとともにスリットに挿入し、パネル材の上昇時にスリットの下端が下から係合してパネル材の上昇を制限する。
【００１１】
主金具の係止フックは、補助フックを含む上下方向の最大長さをパネル材のスリットより長くすることにより、パネル材を水平方向および鉛直方向に移動させるだけではスリットから抜き取ることができず、単なる横振動や縦振動によりパネル材が不用意に外れてしまうおそれがない。一方、係止フックは、補助フックとともにスリットに対して斜め上向きに挿入し、斜め下向きに抜き取ることができ、前者のときのパネル材は、相対的に斜め下向きに移動させ、後者のときのパネル材は、相対的に斜め上向きに移動させるものとする。
【００１２】
副金具の係止フックは、上下方向の最大長さをパネル材のスリットより短くすることにより、パネル材を上下方向に移動させることなく、スリットに挿入し、スリットから抜き取ることができ、パネル材の取付け、取外しを簡単にすることができる。
【００１３】
主金具、副金具は、上部、下部の各１個を組み合わせてもよく、最上部の１個の主金具と、最上部を除く位置の１個以上の副金具とを組み合わせてもよい。なお、副金具の使用個数は、主としてパネル材の全体高さ、重量などにより選択し、主金具とともにパネル材の上下方向に等ピッチに対応させることが好ましい。
【図面の簡単な説明】
【００１４】
【図１】全体構成斜視図
【図２】図１の要部分解斜視図
【図３】図２のＸ−Ｘ線矢視相当拡大断面図
【図４】主金具、副金具の全体正面説明図
【図５】取付け状態説明図
【図６】図１の要部拡大横断面図
【図７】取付け手順説明図（１）
【図８】取付け手順説明図（２）
【図９】取外し手順説明図（１）
【図１０】取外し手順説明図（２）
【図１１】他の実地の形態を示す図１相当図
【発明を実施するための形態】
【００１５】
以下、図面を以って発明の実施の形態を説明する。
【００１６】
間仕切りパネルの取付装置は、柱材４１の上部に装着する主金具１０と、柱材４１の中間部、下部に装着する副金具２０、２０とを備えてなる（図１）。なお、柱材４１、４１…は、複数の桟材４２、４２…を介して連結されており、主金具１０、副金具２０、２０は、柱材４１、４１…、桟材４２、４２…を組み合わせて構成するフレーム体４０の前後両面にパネル材３０、３０…を取り付けるために使用する。
【００１７】
パネル材３０は、板状の芯材３１と、芯材３１の表面側を保護する鋼板の表面材３２とを設けている（図１、図２）。表面材３２の左右の側端部は、裏面側に折り返され、上下方向のスリット３３、３３…が等ピッチに形成されている。なお、各スリット３３の上部は、先細に形成されている。
【００１８】
主金具１０は、上部の前向きの係合部１２、１２、左右の上向きの係止フック１３、１３、下部の係合突部１４、１４を備えており、係止フック１３、１３には、下向きの補助フック１５、１５が付設されている。主金具１０は、１枚の板材を屈曲して形成され、主金具１０の下部は、上部に対して角度θだけ前方に斜めに屈曲されている（図２、図３）。
【００１９】
各係合部１２は、前方に屈曲する支持部１２ａを介し、前方に突出する羽根板状に形成されている。各係合部１２は、支持部１２ａの上下に延長して形成されており、支持部１２ａの下方に後向きの押え部１２ｂを有する。
【００２０】
係止フック１３、１３は、左右に横向きに突設され、上向きに形成されている。各係止フック１３は、上辺を斜め内向きに形成するとともに、下向きに尖る補助フック１５が下側に付設されている。補助フック１５の外縁は、係止フック１３の上辺と略平行な係止フック１３の斜めの下辺に滑らかに連続している。係合突部１４、１４は、前方に斜めに屈曲する主金具１０の下部に対し、バーリング加工によって前向きに突設されている。また、係合突部１４、１４の上方内寄りには、丸孔１６、１６が開口されている。主金具１０の全体正面図を図４（Ａ）として示す。
【００２１】
主金具１０を装着する柱材４１には、係合部１２、１２が挿入可能なスリット４１ａ、４１ａが形成されている（図２、図３）。各スリット４１ａの幅ｗは、係合部１２の板厚より僅かに大きく、高さｈは、ｗ1 ＜ｈ＜ｈ1 に設定されている。ただし、ｗ1 は、係合部１２の最大幅であり、ｈ1 は、支持部１２ａの下端からの係合部１２の有効高さである。なお、係合部１２の下部の押え部１２ｂは、支持部１２ａの下方のクリアランスを柱材４１の板厚ｔより僅かに小さく設定している。また、柱材４１には、係合突部１４、１４が進入可能な小孔４１ｂ、４１ｂがスリット４１ａ、４１ａの下方に形成されている。
【００２２】
そこで、主金具１０は、柱材４１の側面に対してほぼ直立させ、スリット４１ａ、４１ａに係合部１２、１２を上端から挿入し、下方に回転させながら柱材４１に沿って下降させ（図３の矢印Ｋ1 、Ｋ2 方向）、屈曲部分の頂部付近を柱材４１に向けて強く押すことにより（同図の矢印Ｋ3 方向）、下部の係合突部１４、１４を小孔４１ｂ、４１ｂに弾発的に係合させて柱材４１に装着することができる。このとき、係合部１２、１２、支持部１２ａ、１２ａは、スリット４１ａ、４１ａを介して全体の傾きを防止し、支持部１２ａ、１２ａの下端がスリット４１ａ、４１ａの下端に当接することにより、全体を正しく位置決めすることができる。
【００２３】
また、このときの押え部１２ｂ、１２ｂは、それぞれ支持部１２ａの下端に向けて進入する柱材４１を内面側から強く挟み込み、柱材４１を僅かに変形させる（図３の二点鎖線、実線）。そこで、主金具１０は、柱材４１からの反力によって下部が柱材４１側に付勢され、柱材４１から不用意に外れるおそれがない。なお、主金具１０は、たとえば丸孔１６、１６に図示しない工具を差し入れて係合突部１４、１４と小孔４１ｂ、４１ｂとの係合を外し、係合部１２、１２をスリット４１ａ、４１ａから抜き取ることにより、柱材４１から簡単に取り外すことができる。
【００２４】
副金具２０は、基本的に主金具１０と同形に形成されている（図１、図４（Ｂ））。すなわち、副金具２０の各部の符号２ｉ（ｉ＝１、２…）は、主金具１０の各部の符号１ｉ（ｉ＝１、２…）にそのまま対応している。ただし、図４（Ｂ）は、副金具２０の全体正面図である。また、副金具２０の係止フック２３、２３には、下向きの補助フック１５、１５を付設するに代えて、内向きの突出部２３ａ、２３ａが形成されている。そこで、副金具２０は、主金具１０と全く同様にして、前向きの係合部２２、２２、係合突部２４、２４を介して柱材４１の側面に装着することができる。なお、柱材４１上の主金具１０、副金具２０、２０は、パネル材３０のスリット３３、３３…のピッチに合わせて配置するものとする。また、主金具１０の左右の係止フック１３、１３、副金具２０の左右の係止フック２３、２３は、それぞれ柱材４１の上面側に突出している。
【００２５】
そこで、パネル材３０は、対応する主金具１０の係止フック１３、各副金具２０の係止フック２３を対応するスリット３３に挿入し、全体を係止フック１３、１３、２３、２３…に掛けるようにして、２本の柱材４１、４１の間に取り付けることができる。このとき、主金具１０の係止フック１３は、補助フック１５とともにスリット３３に挿入され（図５（Ａ））、各副金具２０の係止フック２３も、スリット３３に挿入される。したがって、係止フック１３、２３は、それぞれ対応するスリット３３の上端に係合してパネル材３０を支持するとともに、スリット３３の上部の先細の部分に進入してパネル材３０を軽くロックする。また、係止フック１３、２３は、それぞれ斜め内向きの上辺の最下部、内向きの突出部２３ａを介して、対応するスリット３３の直近上方の部分を柱材４１との間に挟み込み、表面材３２を弾性変形させてパネル材３０を柱材４１の表面に密着させる。
【００２６】
一方、フレーム体４０の中間の柱材４１は、左右の側面に装着する主金具１０、１０、副金具２０、２０…を介し、前後の各表面において、左右に隣接するパネル材３０、３０を支持することができる（図１、図６）。ただし、図６には、主金具１０、１０のみが図示されており、各パネル材３０側のスリット３３、柱材４１側のスリット４１ａの図示が省略されている。
【００２７】
なお、各主金具１０は、一方の係止フック１３のみによってパネル材３０を支持しているときであっても、柱材４１に対して不用意に傾くことがない。主金具１０は、左右の係合部１２、１２、係合突部１４、１４がスリット４１ａ、４１ａ、小孔４１ｂ、４１ｂに個別に係合しているからである。副金具２０についても、全く同様である。そこで、主金具１０、副金具２０は、それぞれ左右の係止フック１３、１３、２３、２３の一方を省略し、柱材４１の前面または後面にのみパネル材３０を取り付けてもよい。
【００２８】
柱材４１上のパネル材３０は、大地震などの過大な縦振動を受けると、上向きに相対移動して上昇する可能性がある（図５（Ａ）の矢印方向）。しかし、各スリット３３の下端が係止フック１３、２３の下側に係合するまでパネル材３０が上昇したとしても（図５（Ｂ））、主金具１０に対応するスリット３３の下方部分が補助フック１５の内側に進入して補助フック１５に係合してパネル材３０の上昇が制限されるため、パネル材３０が柱材４１から不用意に外れたり、落下したりするおそれがない。なお、このとき、パネル材３０の下部は、副金具２０の突出部２３ａによる拘束から解放され、柱材４１の表面から僅かに離れる可能性があるが、何ら実害を生じない。また、主金具１０の補助フック１５を含む係止フック１３の上下方向の最大長さＨ1 、副金具２０の係止フック２３の上下方向の最大長さＨ2 、パネル材３０のスリット３３の長さＨは、Ｈ2 ＜Ｈ＜Ｈ1 に設定されているものとする。
【００２９】
主金具１０、副金具２０、２０を介してパネル材３０を柱材４１に取り付ける際の手順は、図７、図８のとおりである。ただし、図７（Ａ）〜図８（Ｂ）において、柱材４１に装着する主金具１０、中間部の副金具２０だけが代表的に図示されている。また、柱材４１の右側のパネル材３０は、取付け対象となっている左側のパネル材３０の状態変化を分かり易く示すために、一貫して柱材４１に取付け済みの状態に図示されている。
【００３０】
取付け対象のパネル材３０は、最上部のスリット３３を主金具１０の係止フック１３に対応させて上部を柱材４１に近付け（図７（Ａ））、係止フック１３をスリット３３に進入させる（図７（Ｂ））。つづいて、パネル材３０の下部を柱材４１に近付けて副金具２０の係止フック２３をスリット３３に進入させ（図８（Ａ））、パネル材３０を斜め下向きに平行移動させることにより（図８（Ａ）の矢印方向）、係止フック１３、補助フック１５と、係止フック２３とをそれぞれ対応するスリット３３に進入させる（図８（Ｂ））。その後、パネル材３０を下向きに駆動することにより（図８（Ｂ）の矢印方向）、パネル材３０を定位置にセットして取付けを完了する。なお、図８（Ａ）〜（Ｂ）において、係止フック１３は、補助フック１５とともにスリット３３に対して相対的に斜め上向きに挿入されている。
【００３１】
柱材４１からパネル材３０を取り外すときの手順は、図９、図１０のとおりである。ただし、図９（Ａ）〜図１０（Ｂ）の図示内容は、図７（Ａ）〜図８（Ｂ）のそれに準ずるものとする。
【００３２】
取外し対象のパネル材３０は、まず上向きに駆動して（図９（Ａ）の矢印方向）、副金具２０の係止フック２３を対応するスリット３３の高さ位置にほぼ合致させる（図９（Ｂ））。次いで、パネル材３０の下部を柱材４１から引き離すように駆動して（図９（Ｂ）の矢印方向）、副金具２０の係止フック２３を対応するスリット３３から抜去する（図９（Ｃ））。その後、パネル材３０を下向きに駆動して（図９（Ｃ）の矢印方向）、主金具１０に対応する最上部のスリット３３の下端を補助フック１５の下端より僅かに低くした上（図１０（Ａ））、パネル材３０を斜め上向きに駆動して（図１０（Ａ）の矢印方向）、補助フック１５とともに係止フック１３をスリット３３から相対的に斜め下向きに抜き取り（図１０（Ｂ））、パネル材３０を柱材４１から取り外す。
【００３３】
なお、図８（Ａ）において、係止フック１３、補助フック１５をスリット３３に斜め上向きに挿入するとき、図１０（Ａ）において、係止フック１３、補助フック１５をスリット３３から斜め下向きに抜き取るとき、それぞれパネル材３０を斜め下向き、斜め上向きに駆動する方向は、いずれも係止フック１３の斜め内向きの上辺の延長方向にほぼ一致させるものとする。そこで、補助フック１５の下端から係止フック１３の上辺までの上下方向の長さＨ1aは、スリット３３の長さＨ、補助フック１５を含む係止フック１３の上下方向の最大長さＨ1 に対し、Ｈ1a＜Ｈ＜Ｈ1 に設定されている（図２、図４（Ａ））。
【００３４】
以上の説明において、パネル材３０を取り付けるために柱材４１に装着する副金具２０は、最上部の１個の主金具１０に対し、１個以上を組み合わせることができる。たとえば図１、図１１では、それぞれ２個、３個の副金具２０、２０…が使用されている。ただし、柱材４１上の主金具１０、副金具２０は、パネル材３０に対し、全数をほぼ等ピッチに対応させることが好ましい。また、主金具１０と１個の副金具２０とを組み合わせるときは、主金具１０、副金具２０を柱材４１の上部、下部に装着し、パネル材３０の上部、下部に対応させるものとする。
【産業上の利用可能性】
【００３５】
この発明は、たとえばビル内の事務フロアや、会議室、教室などに設置する任意の間仕切りシステムに対し、広く好適に適用することができる。
【符号の説明】
【００３６】
Ｈ1 、Ｈ2 …最大長さ
１０…主金具
１３…係止フック
１５…補助フック
２０…副金具
２３…係止フック
３０…パネル材
４１…柱材
特許出願人      小松ウオール工業株式会社
【図１】
0005896655.tif 000002
【図２】
0005896655.tif 000003
【図３】
0005896655.tif 000004
【図４】
0005896655.tif 000005
【図５】
0005896655.tif 000006
【図６】
0005896655.tif 000007
【図７】
0005896655.tif 000008
【図８】
0005896655.tif 000009
【図９】
0005896655.tif 000010
【図１０】
0005896655.tif 000011
【図１１】
0005896655.tif 000012